(57)【要約】【課題】封印シールによって封印された基板保護ケースが不正に開放されることを防止することができる基板保護ケースの封印構造、及びこの基板保護ケースを用いた遊技機を提供する。【解決手段】制御基板を間に挟んで収容する開閉可能な２つのケース片１０、２０を有した基板保護ケース１と、２つのケース片の周縁部に設けた封印シール接着部Ａにおいて２つのケース片の少なくとも何れか一方に接着される封印シール５０と、封印シール接着部に対して着脱可能に装着され装着時に封印シールを包囲するキャップ４０と、を備えている。【選択図】図２
2010167125.tif 000002
【特許請求の範囲】
【請求項１】
制御基板を間に挟んで収容する開閉可能な２つのケース片を有した基板保護ケースと、前記２つのケース片の周縁部に設けた封印シール接着部において前記２つのケース片の少なくとも何れか一方に接着される封印シールと、前記封印シール接着部に対して着脱可能に装着され装着時に前記封印シールを包囲するキャップと、を備えていることを特徴とする基板保護ケースの封印構造。
【請求項２】
前記封印シール接着部は、前記２つのケース片の周縁部に夫々設けた突出片から構成されており、
前記キャップは少なくとも前記封印シールを接着した前記突出片を包囲するように構成されていることを特徴とする請求項１に記載の基板保護ケースの封印構造。
【請求項３】
前記封印シール接着部は、何れか一方の前記ケース片の周縁部に設けた突出片から構成されており、
前記キャップは、少なくとも前記封印シールを接着した前記突出片を包囲するように構成されていることを特徴とする請求項１に記載の基板保護ケースの封印構造。
【請求項４】
前記封印シール接着部の近傍には、閉止状態にある前記２つのケース片を締結するカシメ締結部が設けられており、
前記カシメ締結部は、前記両ケース片に夫々設けられ且つ穴部が連通する環状部と、該各環状部の各穴部内に圧入されるカシメ部材とから構成されており、
前記キャップの一側部には穴部を有した突片が設けられており、
前記キャップを前記封印シール接着部に装着した状態では、前記突片は前記各環状部の間に挟まれた状態となり、
前記各環状部及び前記突片の各穴部に前記カシメ部材を圧入することにより、前記キャップは前記下ケース片及び前記上ケース片と一体化されることを特徴とする請求項１乃至３の何れか一項に記載の基板保護ケースの封印構造。
【請求項５】
請求項１乃至４の何れか一項に記載の基板保護ケースの封印構造と、前記基板保護ケースを支持する基板保護ケース支持面と、を備えた遊技機であって、
前記基板保護ケースは、その裏面を前記基板保護ケース支持面に近接させたセット位置と、該基板保護ケース支持面から離間させた離間位置との間で開閉自在に軸支されており、
前記基板保護ケース支持面に、前記基板保護ケースがセット位置にある時に該基板保護ケースからの前記キャップの離脱を阻止する離脱阻止部材を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為防止のために基板保護ケースに接着される封印シールが、不正に剥離、切断される不具合を解消することができる基板保護ケースの封印構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が日々巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
【０００３】
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正行為を発見するための技術が開示されている。
【０００４】
図６及び図７は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した程度の破断状態では、後の修復作業によって導体パターンを再導通させることが比較的容易であった。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
本発明は上記に鑑みてなされたものであり、封印シールによって封印された基板保護ケースが不正に開放されることを防止することができる基板保護ケースの封印構造、及びこの基板保護ケースを用いた遊技機を提供することを一つの目的としている。
更に本発明においては、基板保護ケースを開放する時点で封印シールが破断するように構成した場合において、開放前と開放後における封印シールに対する不正な加工（カッタによる切断、その後の修復）を困難化することを目的としている。
【課題を解決するための手段】
【０００７】
上記目的を達成するため、請求項１の発明に係る基板保護ケースの封印構造は、制御基板を間に挟んで収容する開閉可能な２つのケース片を有した基板保護ケースと、前記２つのケース片の周縁部に設けた封印シール接着部において前記２つのケース片の少なくとも何れか一方に接着される封印シールと、前記封印シール接着部に対して着脱可能に装着され装着時に前記封印シールを包囲するキャップと、を備えていることを特徴とする。
一方のケース片と、一方のケース片との間で制御基板を収容し且つ該一方のケース片に対して開閉可能に構成された他方のケース片と、を有した基板保護ケースにおいて、少なくとも一方のケース片の端縁（封印シール接着部）に封印シールを接着した場合に、封印シールを包囲するようにキャップを封印シール接着部に装着する。
このように基板保護ケースを不正に開放するためには、キャップを離脱させる必要があり、直ちに不正行為を実施することが困難となる。
封印シールは、一方のケース片にのみ接着しても良いし、両ケース片に跨って接着させてもよい。
請求項２の発明に係る基板保護ケースの封印構造は、請求項１において、記封印シール接着部は、前記２つのケース片の周縁部に夫々設けた突出片から構成されており、前記キャップは少なくとも前記封印シールを接着した前記突出片を包囲するように構成されていることを特徴とする。
【０００８】
請求項３の発明に係る基板保護ケースの封印構造は、請求項１において、前記封印シール接着部は、何れか一方の前記ケース片の周縁部に設けた突出片から構成されており、前記キャップは、少なくとも前記封印シールを接着した前記突出片を包囲するように構成されていることを特徴とする。
請求項４の発明に係る基板保護ケースの封印構造は、請求項１乃至３の何れか一項において、前記封印シール接着部の近傍には、閉止状態にある前記２つのケース片を締結するカシメ締結部が設けられており、前記カシメ締結部は、前記両ケース片に夫々設けられ且つ穴部が連通する環状部と、該各環状部の各穴部内に圧入されるカシメ部材とから構成されており、前記キャップの一側部には穴部を有した突片が設けられており、前記キャップを前記封印シール接着部に装着した状態では、前記突片は前記各環状部の間に挟まれた状態となり、前記各環状部及び前記突片の各穴部に前記カシメ部材を圧入することにより、前記キャップは前記下ケース片及び前記上ケース片と一体化されることを特徴とする。
キャップを両ケース片本体から不正に離脱できないようにするために、カシメ締結部を利用してキャップを固定することにより、部品点数を増大させずにキャップを離脱させることによる不正開放を防止することが可能となる。
【０００９】
請求項５の発明に係る遊技機は、請求項１乃至４の何れか一項に記載の基板保護ケースの封印構造と、前記基板保護ケースを支持する基板保護ケース支持面と、を備えた遊技機であって、前記基板保護ケースは、その裏面を前記基板保護ケース支持面に近接させたセット位置と、該基板保護ケース支持面から離間させた離間位置との間で開閉自在に軸支されており、前記基板保護ケース支持面に、前記基板保護ケースがセット位置にある時に該基板保護ケースからの前記キャップの離脱を阻止する離脱阻止部材を備えたことを特徴とする。
キャップを両ケース片本体から不正に離脱できないようにするために、遊技盤側の基板保護ケース支持面にキャップの離脱を阻止する離脱阻止部材を設けることによっても、キャップを離脱させることによる不正開放を防止することが可能となる。
【発明の効果】
【００１０】
以上のように本発明によれば、基板保護ケースを不正に開放することを防止するために基板保護ケースに接着される封印シールを覆うキャップを備えたので、封印シールに対する不正操作等が困難となる。
仮に、キャップによって封印シールを隠蔽しない場合には、遊技機の背面に配置された基板保護ケースに対して不正行為をしようとする者は露出状態にある封印シールをカッタによって再生可能となる程度に切断して基板保護ケースを開封、開放することが可能となる。これに対して本発明においては、キャップを取り外さない限り封印シールに対する不正な操作を行うことが不可能となる。従って、不正行為者にとって都合のよい再生可能な程度に封印シールを破断した上での、基板保護ケース開放、ＲＯＭ交換、基板保護ケース閉止、封印シールを復旧しながらの再接着が困難となる。
遊技機に基板保護ケースをセットした状態においてキャップを容易に離脱できないように構成したり、キャップを両ケース片本体に対してロックすることにより、封印シールに対する不正行為を効果的に防止することが可能となる。
【発明を実施するための最良の形態】
【００１１】
以下、本発明を図面に示した実施の形態により詳細に説明する。
図１（ａ）は本発明の封印構造を備えた基板保護ケースの外観構成を示す斜視図であり、（ｂ）はその正面図、（ｃ）はその左側面図であり、図２は本発明の封印構造を備えた基板保護ケースの分解斜視図であり、図３は基板保護ケースの他の分解斜視図である。
基板保護ケース１は、ＲＯＭを始めとした電子部品を搭載した図示しない制御基板（プリント基板）を内部に収容した状態でパチンコ遊技機等の遊技機の背面（基板保護ケース支持面）８５に台座８０（図２）を介して組み付けられる。
基板保護ケース１は、ＲＯＭを搭載した制御基板（プリント基板）を間に挟んだ状態で内部に収容する透明な樹脂製の２つのケース片（下ケース片１０、上ケース片２０）と、後述する封印シール５０を接着した基板保護ケースの突き合わせ部（封印シール接着部）Ａに対して着脱自在に装着されるキャップ４０と、を備えている。
本例では、下ケース片１０は制御基板を間に挟んで上ケース片２０に対してカシメ部材３ａにより固定される。
【００１２】
基板保護ケース１の端縁に沿った適所には、カシメ部材３ａ（カシメピン２８、カシメ板６２、６６）を用いたカシメ締結部３（２７、６０）が配置され、カシメ締結部に設けた締結穴内にカシメ部材を打ち込むことにより両ケース片１０、２０は閉止状態でロックされる。締結穴に打ち込まれたカシメ部材を除去することによって両ケース片１０、２０は開閉、着脱可能な状態となる。
なお、台座８０は、遊技機本体の背面側に設けた遊技機側保持部に対して基板保護ケース１を取り付けるための連結手段であり、下ケース片１０に設けたフック部１１を台座８０に設けた軸部８１に係合させることにより、基板保護ケース１は軸部８１を中心として上下方向へ回動する。即ち、基板保護ケース１の下ケース片１０がこの台座８０により保持されるため、基板保護ケース１は遊技機側の軸部８１を中心として上下方向へ回動する。
制御基板を収容した基板保護ケース１は、下ケース片１０を台座８０を介してパチンコ遊技機等の遊技盤の背面に添設させた状態で組み付けられるため、遊技盤の背面側から上ケース片２０を通して内部の制御基板面に搭載された電子部品を視認することができる。また、台座８０の上部に位置する軸部８１を中心として基板保護ケース１を上方に回動させることにより、透明な下ケース片１０の底面から基板保護ケース内部を確認することができる。
【００１３】
上記の如き構成を備えた基板保護ケース１を封印する手段として、封印シール５０が使用される。封印シール５０としては単なるシート状の接着シールであってもよいが、本例ではＲＦＩＤを組み込んだ封印シール５０を一例として説明する。
即ち、基板保護ケース１が図１のように閉止状態にある時に、下ケース片１０と上ケース片の端縁間（突き合わせ部Ａ＝封印シール接着部）に跨るように封印シール５０を接着することにより、封印シール５０を破損せずには両ケース片を開放できないように構成されている。即ち、下ケース片１０と上ケース片２０の長手方向一端縁には夫々突出片１２、２２が設けられており、両突出片１２、２２は、突き合わせ部Ａを構成している。即ち、両突出片１２、２２は、下ケース片１０と上ケース片２０の長手方向一端縁の同一位置に設けられることにより、両ケース片を閉止した時に両突出片１２、２２が整合状態となって突き合わせ部（封印シール接着部）Ａを形成する。
なお、本例では、両ケース片１０、２０は、図１中の（ロ）で示した逆方向（制御基板面と平行な面方向）にスライドすることにより、開閉される。
【００１４】
本例では、封印シール接着部Ａを両突出片１２、２２から構成し、両突出片１２、２２を包囲するようにキャップ４０を装着しているが、封印シール接着部Ａを一方の突出片のみから構成し、この一つの突出片に対してキャップを装着するようにしてもよい。
キャップ４０は、突き合わせ部Ａの外面に封印シール５０を接着した状態で封印シールを包囲（隠蔽）するように突き合わせ部の外面に対して着脱自在に装着される。キャップ４０は、封印シール５０を含む両突出片（突き合わせ部Ａ）の外面を包囲するキャップ本体４１と、突き合わせ部Ａに装着された時に突き合わせ部Ａ側に設けた被係止部を係止する係止部４２を備えている。
なお、図示した実施形態では、キャップ４０は、封印シールを含む突出片１２、２２全体を包囲している例を示したが、キャップは封印シールの少なくとも一部を包囲するように突き合わせ部（封印シール接着部＝キャップ装着部）Ａの少なくとも一部に装着される構成であればよい。このことは、以下の全ての実施形態についても同様に当てはまる。
突き合わせ部Ａに接着した封印シール５０を包囲するようにキャップ４０を装着することにより、キャップ４０を離脱させない限り封印シールに対する不正な加工、操作が困難な状態となる。
【００１５】
図４に示すように封印シール５０は一面に接着層を有した紙等の破断し易い材質から成る接着シート５１と、接着シート５１の一面に固定されたＲＦＩＤ（例えば、ＩＣタグ等の非接触型の電波による識別手段）５５と、を備えている。ＲＦＩＤ５５は、電力生成回路、変復調回路、記憶回路、制御回路を含むチップ５６と、チップ５６から反対方向に延びる二本の導体パターン（アンテナ）５７と、を有している。本例の封印シール５０は矩形の接着シート５１の略中心部にチップ５６を配置すると共に、チップ５６から略対角線方向へ向けて各導体パターン５７を引き出している。
図示しない読み取り装置からＲＦＩＤ５５に向けて読み取り用の電磁波を照射すると、アンテナ部を構成する導体パターン５７が電磁波を受信し、チップ５６に電磁波を供給する。この電磁波によりチップ５６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
【００１６】
ＲＦＩＤを構成する線状の導体パターン５７は接着シート５１の略対角線方向へ延びており、導体パターン５７が突き合わせ部Ａと交差するように封印シール５０を接着しておくことにより、基板保護ケースが不正に開放された場合に導体パターンの一部が断線して記憶情報の読み出しを不可能とすることができる。
本実施形態においては、基板保護ケースの突き合わせ部Ａの外面に両ケース片の突出片１２、２２に跨るように封印シール５０を接着した状態において、突き合わせ部の外面にキャップ４０を被せるように装着している。従って、キャップ４０を突き合わせ部から離脱させない限り、封印シールを剥離、或いは切断して、基板保護ケースを開放することができない。
【００１７】
ところで、封印シール５０は、二本の導体パターン５７のうちの一方のみが断線されたに過ぎない場合には、両ケース片２、１０を閉止状態に戻して破断した封印シール５０を修復することにより断線部が再接続により復旧して導通（読み取り装置との通信）を回復することが可能となる。
このような不具合に対処するためには、キャップの離脱が困難となる構成を採用することが有効である。
特に、基板保護ケースを開放してＲＯＭを交換する等の不正行為が遊技場の営業中に行われる場合には、キャップを離脱させて基板保護ケースを開放してからＲＯＭを交換し、その後基板保護ケースを閉止して封印シールを補修するのに要する時間は僅かしかないため、キャップの離脱さえ阻止すれば、不正行為を効果的に防止することが可能となる。
【００１８】
そこで例えば、図１（ｂ）に示すようにキャップ４０を装着した基板保護ケース１を台座８０にセットした際に、遊技機の背面（基板保護ケース支持面）８５に配置された他の部品類（離脱阻止部材）８６がキャップ４０の外側面４０ａと近接するように構成しておけば、軸部８１を中心として基板保護ケース１を上方に回動させない限り、キャップ４０を突き合わせ部Ａから取り外して封印シールを剥離したり、切断することが不可能となる。通常、基板保護ケース１には多数のケーブルが結線されているため、これらのケーブルを取り外すという時間と手数のかかる作業を実施しない限り基板保護ケースを軸部８１を中心として回動させてキャップ４０を離脱阻止部材８６から離間させることは困難である。
即ち、本発明の基板保護ケース１の封印構造を備えた遊技機は、基板保護ケースは、その裏面を基板保護ケース支持面８５に近接させたセット位置と、基板保護ケース支持面から離間させた離間位置との間で開閉自在に軸支されており、基板保護ケース支持面８５には、基板保護ケースがセット位置にある時に基板保護ケースからのキャップ４０の離脱を阻止する離脱阻止部材８６を設けている。
【００１９】
このように、離脱阻止部材８６を基板保護ケースのキャップ４０の外側面４０ａに近接配置させておくというレイアウト上の単純な工夫が、キャップ４０の不正な取外しを阻止する手法として極めて有効となる。
なお、図１中に示したように突き合わせ部Ａの一側方には、カシメピン２８による両ケース片の封止部としてのカシメ締結部２７が設けられている。
カシメ締結部２７は、下ケース片１０に設けた第１の環状部２７ａと、上ケース片２０に設けた第２の環状部２７ｂと、両環状部に圧入されて固定されるカシメピン（カシメ部材）２８と、から構成されている。両環状部２７ａ、２７ｂは、両ケース片を整合状態で閉止した時にその穴部同士が連通状態となり、この両穴部内にカシメピン２８を圧入することにより、カシメピンを除去しない限り基板保護ケースの開放が困難となる。
各環状部２７ａ、２７ｂは、各ケース片本体１０、２０に対してリブ２７ｃによって連結されている。
【００２０】
本発明ではカシメ締結部２７を設けた基板保護ケース端縁とは反対側の端縁に他のカシメ締結部６０（本例では二箇所６０ａ、６０ｂ）を設けており、両カシメ締結部による封止によって基板保護ケースの封止が完全となる。
なお、パチンコホール等の所轄行政官庁により遊技場（ホール）内の遊技機の検査が行われる場合には、既設の基板保護ケースを開放して制御基板上の電子部品等の検査を受ける必要がある。この場合には、基板保護ケースの長手方向両端縁に設けた２箇所のカシメ締結部２７、６０を破断させて締結を解除すると共に、キャップ４０を取り外して封印シール５０による封印を解除する必要がある。検査終了後には、突き合わせ部Ａとは反対側に２箇所設けた他のカシメ締結部６０（６０ａ、６０ｂ）のうち破壊されていない方のカシメ締結部を利用して封止してから封印シールを接着し、キャップを装着することにより、基板保護ケースの再利用が可能となる。このように本発明の基板保護ケースは、検査のために一度封印を解除して開放されたとしてもあと一度だけ再利用が可能となるため、ゴミの廃棄量を低減し、環境問題に対応することが可能となる。
【００２１】
次に、図５（ａ）（ｂ）及び（ｃ）は本発明の基板保護ケースの変形例を示す分解斜視図、組付け状態の正面図、及び左側面図である。
この基板保護ケース１は、キャップ４０の一側部にカシメ締結部２７（２７ａ、２７ｂ）に設けた穴部と連通する穴部４５ａを有した突片４５を設けた構成が特徴的である。この突片４５は、上下のケース片１０、２０を閉止して突出片１２、２２（突き合わせ部Ａ）にキャップ４０を装着する際に、カシメ締結部２７の両環状部２７ａ、２７ｂ間に介在した状態となる。このため、両環状片２６ａ、２７ｂの穴部にカシメピン（カシメ部材）２８を圧入する際にキャップの突片４５の穴部４５ａにもカシメピン２８が挿通（圧入、圧着）された状態となり、キャップ４０を両ケース片と一体化することができる。従って、キャップ４０を離脱させるためには、突片４５を破損させたり、カシメ締結部２７を破損する必要があり、この場合には不正行為の形跡を確実に残すこととなる。
なお、本発明の基板保護ケース１では、その長手方向一端縁にカシメ締結部２７を設ける一方で、他端縁にもカシメ締結部６０を設けたので、カシメ締結部が一方にのみ設けられている場合に比して不正開放行為を確実に防止することが可能となる。特に、一方のカシメ締結部２７は、キャップ４０の不正離脱を防止する手段を兼ねているため、部品点数の増大を招くことなく、カシメ締結部６０との協働により不正開放防止機能を実現することが可能となる。
【００２２】
なお、上記実施形態では、２つのケース片１０、２２の端縁に夫々突設した突出片１２、２２を合わせることにより構成した封印シール接着部Ａに対して封印シール５０を接着した上で、キャップ４０を装着した構成例を示したが、突出片を何れか一方のケース片のみに設けると共に、この単一の突出片と他方のケース片の外面に跨って封印シールを接着してから、この封印シールを包囲するように単一の突出片に対してキャップを装着するように構成してもよい。
つまり、キャップを装着する対象となる突出片は単一であってもよい。
【００２３】
次に、上記各実施形態における両ケース片１０、２０の開閉方向に限定はなく、どのような方向であってもよい。即ち、何れか一方のケース片に対して他方のケース片を制御基板面と並行な方向（図１（ａ）の矢印ロで示す方向）へスライドさせる構成としたり、或いは両ケース片を制御基板の面と直交する方向（図２中の矢印ロで示す方向）へ開放する構成とすることにより、両ケース片が開閉可能に構成されている基板保護ケースにも本発明の封印構造を適用することができる。
更に、一方のケース片に対して他方のケース片は回動軸を中心として開閉自在に軸支されている基板保護ケースにも適用することができる。具体的には、下ケース片１０の一端部に設けたヒンジ部により、上ケース片２０の一端部（図１（ａ）の右端縁）に設けた軸部を開閉自在（図１（ａ）の矢印ニ方向）に軸支した構成の基板保護ケースに適用することができる。
また、封印シールを貼る位置（封印シール接着部）は、上記各実施形態では制御基板の短辺に沿った位置としたが、長辺に沿った位置であってもよい。
【００２４】
以上のように本発明によれば、基板保護ケースに接着された封印シールをキャップによって包囲するようにしたので、封印シールの剥離、切断による基板保護ケースの開放と、ＲＯＭを交換して基板保護ケースを閉止した後の封印シール修復といった不正行為を阻止することができる。仮に、キャップによって封印シールを隠蔽しない場合には、遊技機の背面に配置された基板保護ケースに対して不正行為をしようとする者は露出状態にある封印シールをカッタによって再生可能なように切断して基板保護ケースを開封、開放することが可能となるが、そのような不具合を効果的に防止できる。
特に、不正にキャップを両ケース片から離脱させることを防止する工夫を行ったことにより、封印シールに対する不正処理を効果的に阻止することができる。キャップを破壊して離脱させた場合にはその形跡が残るため、外観上から不正行為の存在を容易に察知することが可能となる。
封印シールは、一方のケース片にのみ接着しても良いし、両ケース片に跨って接着させてもよい。
【００２５】
また、封印シール接着部が単一の突出片から構成されている場合であっても、そこに接着された封印シールをキャップによって保護することができる。
封印シール接着部の直近位置にカシメ締結部を設けると共に、キャップの一側部に穴部を有した突片を設け、キャップを封印シール接着部に装着した際に、突片がカシメ締結部を構成する２つの環状部の間に挟まれた状態となるようにした。更に、各環状部及び突片の各穴部にカシメピンを圧入することにより、キャップが下ケース片及び上ケース片と一体化されるように構成したので、キャップの不正な離脱行為を確実に防止できる。
本発明に係る基板保護ケース１は、パチンコ遊技機、スロットマシン等の遊技機に装備される制御基板を収容する手段として利用可能である。
【図面の簡単な説明】
【００２６】
【図１】（ａ）は本発明の封印構造を備えた基板保護ケースの外観構成を示す斜視図であり、（ｂ）はその正面図、（ｃ）はその左側面図である。
【図２】本発明の封印構造を備えた基板保護ケースの分解斜視図である。
【図３】基板保護ケースの他の分解斜視図である。
【図４】ＲＦＩＤを備えた封印シールの一例を示す構成説明図である。
【図５】（ａ）（ｂ）及び（ｃ）は本発明の基板保護ケースの変形例を示す分解斜視図、組付け状態の正面図、及び左側面図である。
【図６】従来の基板保護ケースの構成を示す斜視図である。
【図７】図６の基板保護ケースの分解斜視図である。
【符号の説明】
【００２７】
１…基板保護ケース、３…カシメ締結部、３ａ…カシメ部材、Ａ…封印シール接着部（突き合わせ部）１０…下ケース片、１１…フック部、１２…突出片、２０…上ケース片、２２…突出片、２７…カシメ締結部、２７ａ…環状部、２７ｂ…環状部、２７ｃ…リブ、２８…カシメピン、４０…キャップ、４１…キャップ本体、４２…係止部、４５…突片、４５ａ…穴部、５０…封印シール、５１…接着シート、５５…ＲＦＩＤ、５６…チップ部、５７…導体パターン、６０、６０ａ、６０ｂ…カシメ締結部、６１、６５…カシメ板装着部、６１ａ…リブ、６２…下カシメ板、６２、６６…カシメ板、６２ａ…爪部、６６…上カシメ板、８０…台座、８１…軸部、８５…基板保護ケース支持面、８６…離脱阻止部材
【図１】
2010167125.tif 000003
【図２】
2010167125.tif 000004
【図３】
2010167125.tif 000005
【図４】
2010167125.tif 000006
【図５】
2010167125.tif 000007
【図６】
2010167125.tif 000008
【図７】
2010167125.tif 000009